(57)【要約】【課題】外壁用パネルＡ間における目地Ｄ内にこれを塞ぐために挿入した目地材Ｅを抜け不能に保持する保持具１０とから成るものにおいて，前記保持具１０の製造コストの低減を図り，前記目地材Ｅと前記保持具１０とによる目地処理の作業性の向上を図る。【解決手段】前記保持具１０は，前記目地材における後側面に係着される装着体１１，１２と，この装着体の左右から前方に向かって斜め外向きに突出して前記目地Ｄの後側角部Ｄ１′に係合する左右一対の係止体１３とを一体に備えるとともに，前記装着体の左右から前方に向かって斜め外向きに突出して前記目地Ｄの両内側面Ｄ１に弾性的に押圧接当する左右一対の弾性体１４，１５を一体に備えている。【選択図】  図１
2012007404.tif 000002
【特許請求の範囲】
【請求項１】
外壁用パネル間における目地の内部に押し込み挿入される目地材を前記目地内に抜け不能に保持する弾性金属板製の保持具であって，前記保持具は，前記目地材における後側面に係着される装着体を備えており，更に，前記保持具は，前記装着体から前方に向かって斜め外向きに突出して前記目地の後側角部に係合する左右一対の係止体と，前記装着体から前方に向かって斜め外向きに突出して前記目地の両内側面に弾性的に押圧接当する左右一対の弾性体とを一体に備えていることを特徴とする外壁用パネルにおける目地材の保持具。
【請求項２】
前記請求項１の記載において，前記保持具における装着体は，前記目地材の長手方向に沿って延びる断面溝型の形状であり，前記係止体は，前記装着体のうち前記目地材の長手方向に沿った一端に設けられ，前記弾性体は，前記装着体のうち前記目地材の長手方向に沿った他端に設けられていることを特徴とする外壁用パネルにおける目地材の保持具。
【請求項３】
前記請求項１の記載において，前記保持具における装着体は，前記目地材の長手方向に沿って延びる断面溝型の形状で前記目地材の長手方向に沿って並べた二つの構成であり，前記係止体は，前記両装着体の間に一体に設けられ，前記弾性体は，前記両装着体における外端の各々に一体に設けられていることを特徴とする外壁用パネルにおける目地材の保持具。
【請求項４】
外壁用パネル間における目地の内部に押し込み挿入される目地材と，この目地材を前記目地内に抜け不能に保持する弾性金属板製の保持具とを備え，前記目地材は，その断面が前記外壁用パネルに向かって凸型に膨らんだ形状になっていて前記目地内に圧入される構成であり，前記保持具は，前記目地材における後側面に係着される装着体を備えており，更に，前記保持具は，前記装着体から前方に向かって斜め外向きに突出して前記目地の後側角部に係合する左右一対の係止体と，前記装着体から前方に向かって斜め外向きに突出して前記目地の両内側面に弾性的に押圧接当する左右一対の弾性体とを一体に備えていることを特徴とする外壁用パネルにおける目地構造。
【請求項５】
前記請求項４の記載において，前記保持具における装着体は，前記目地材の長手方向に沿って延びる断面溝型の形状であり，前記係止体は，前記装着体のうち前記目地材の長手方向に沿った一端に設けられ，前記弾性体は，前記装着体のうち前記目地材の長手方向に沿った他端に設けられていることを特徴とする外壁用パネルにおける目地構造。
【請求項６】
前記請求項４の記載において，前記保持具における装着体は，前記目地材の長手方向に沿って延びる断面溝型の形状で前記目地材の長手方向に沿って並べた二つの構成であり，前記係止体は，前記両装着体の間に一体に設けられ，前記弾性体は，前記両装着体における外端の各々に一体に設けられていることを特徴とする外壁用パネルにおける目地構造。  
【請求項７】
前記請求項４〜６のいずれかの記載において，前記目地材は，その左右の両外側面に前記目地における左右の両内側面に対して接当するひれ片を一体に備えている一方，前記保持具における弾性体は，その先端が前記目地の両内側面のうち前記目地材におけるひれ片が接当しない部分に押圧接当する構成であることを特徴とする外壁用パネルにおける目地構造。
【発明の詳細な説明】
【技術分野】
【０００１】
本発明は，建物における外壁用パネルの相互間に形成される目地（隙間溝）を目地材にて塞ぐ（詰める）場合において，前記目地材を目地内に抜け不能に保持する保持具と，目地構造とに関するものである。
【背景技術】
【０００２】
一般に，建物における外壁は，図８及び図９に示すように，この外壁用パネルＡの複数枚を，前記建物における支柱部材Ｂに，この支柱部材Ｂの長手方向に適宜間隔で配設した取付け金具Ｃにより，前記各外壁用パネルＢの相互間に目地（隙間）Ｄを形成するようにして取付けたのち，前記目地Ｄの内部に，ゴム等の軟質弾性体にて細長い紐状体に構成した目地材Ｅを，当該目地材Ｅの左右両側面にその長手方向に延びるように一体に設けた複数条の各ひれ片Ｅ１，Ｅ２，Ｅ３の各々が前記目地Ｄにおける左右両内側面Ｄ１に弾性的に接当するように押し込み挿入することにより，前記目地Ｄを，水の浸入を阻止した状態にして塞ぐという構成にしている。
【０００３】
これに加えて，前記目地Ｄ内に押し込み挿入した目地材Ｅは，その長手方向に沿って適宜間隔で装着した薄い弾性金属板製の保持具によって，前記目地Ｄ内に，当該目地Ｄから容易に抜けることがないように抜け不能に保持するという構成にしている。
【０００４】
そして，この保持具として，従来は，図８に示す構成にした保持具Ｆ１を使用するか，或いは，特許文献１に記載され，且つ，図９に示す構成にした保持具Ｆ２を使用している。
【０００５】
すなわち，前者における弾性金属板製の保持具Ｆ１は，図８に示すように，前記目地材Ｅのうち後側面における突起片に係着される装着体Ｆ１′と，この装着体Ｆ１′の左右から前方に向かって斜め外向きに突出する左右一対の係止体Ｆ１″とを一体に備え，前記目地Ｄ内に押し込み挿入したときに，前記両係止体Ｆ１″を前記目地Ｄの左右内側面Ｄ１における後側角部Ｄ１′に係合することにより，前記目地材Ｅを目地Ｄ内に抜け不能に保持するという構成にしている。
【０００６】
一方，前者（特許文献１によるもの）における弾性金属板製の保持具Ｆ２は，図９に示すように，前記目地材Ｅにおける各ひれ片Ｅ１，Ｅ２，Ｅ３のうち後側に位置する左右両ひれ片Ｅ３を外側から抱え込むように溝形断面に湾曲した装着体Ｆ２′と，この装着体Ｆ２′の左右から前方に向かって斜め外向きに突出する左右一対の係止体Ｆ２″とを一体に備え，前記目地Ｄ内に押し込み挿入したときに，前記装着体Ｆ２′を前記目地Ｄの両内側面Ｄ１に対して外向きに弾性的に押圧接当すると同時に，前記両係止体Ｆ２″を目地Ｄの両内側面Ｄ１における後側角部Ｄ１′に係合することにより，前記目地材Ｅを目地Ｄ内に抜け不能に保持するという構成にしている。
【先行技術文献】
【特許文献】
【０００７】
【特許文献１】特開平０５−１４８９１６号公報
【発明の概要】
【発明が解決しようとする課題】
【０００８】
前者（図８）の保持具Ｆ１は，前記目地材Ｅの側面における各ひれ片Ｅ１，Ｅ２，Ｅ３が目地Ｄにおける内側面Ｄ１に対して接当するのを妨げないから，前記各ひれ片Ｅ１，Ｅ２，Ｅ３による水の浸入阻止の効果は高いという利点を有する。
【０００９】
しかし，その反面，前記目地Ｄに対する抜け不能の保持が，専ら，その左右の係止体Ｆ１″を目地Ｄの後側角部Ｄ１′に係合することに限られている。
【００１０】
この場合，前記係止体Ｆ１″による抜け不能の保持力は，当該係止体Ｆ１″における中心線から外向きへの開き角度θを小さくすれば大きくなり，開き角度θを大きくすれば小さくなるというように，前記開き角度θに反比例することにより，前記係止体Ｆ１″のみによって所定の保持力を得るには，前記開き角度θを小さくしなければならないが，この開き角度θを小さくすると，前記後側角部Ｄ１′からの突出高さ寸法Ｈが高くなる。
【００１１】
このために，前記した構成の保持具Ｆ１を弾性金属板から製作することに要する材料費が嵩み製造コストのアップを招来するのであり，しかも，前記保持具Ｆ１を前記目地詰め部材Ｅに装着する場合には，この保持具Ｆ１が前記外壁用パネルＡの支柱部材Ｂに対する取付け金具Ｃに干渉することがないように，取付け金具Ｃからずれた位置に装着するようにしなければならず，これに多大の手数を必要とし，目地処理の作業性が低いという問題がある。
【００１２】
これに対し，後者（図９）の保持具Ｆ２は，前記目地Ｄに対する抜け不能の保持を，その左右一対の係止体Ｆ２″における目地Ｄの後側角部Ｄ１′への係合と，その装着体Ｆ２′の目地Ｄにおける内側面Ｄ１への弾性的な押圧接当との両方で行なうもので，前記係止体Ｆ２″にて負担すべき保持力を，前記装着体Ｆ２′による保持力の分だけ低減できることにより，前記係止体Ｆ２″における外向きへの開き角度θを，前者（図８）の保持具Ｆ１の場合によりも大きくすることができて，これにより，前記裏面側角部Ｄ１′からの突出高さ寸法Ｈを低くできるから，材料費を節減できるとともに，保持具Ｆ２が前記外壁用パネルＢの取付け金具Ｃに干渉することを回避できる。
【００１３】
しかし，その反面，保持具Ｆ２の目地材Ｅに対する装着が，前記目地材Ｅにおける各ひれ片Ｅ１，Ｅ２，Ｅ３のうち後側に位置する左右両ひれ片Ｅ３を当該保持具Ｆ２における装着体Ｆ２′にて外側から抱え込むという構成であることにより，前記後側の左右両ひれ片Ｅ３のうち前記保持具Ｆ２の部分では，当該ひれ片Ｅ３が目地Ｄの内側面Ｄ１に対して直接に接触しない状態になるから，前記目地材Ｅによる水の浸入阻止の作用が低減するという問題がある。
【００１４】
しかも，前記装着体Ｆ２′における目地内側面Ｄ１に対する押圧接当が，前記一つのひれ片Ｅ３を抱え込む分だけ弱められることになるから，前記装着体Ｆ２′による抜け不能の保持力が低下するという問題がある。
【００１５】
本発明は，これらの問題を解消した目地構造を提供することを技術的課題とするものである。
【課題を解決するための手段】
【００１６】
この技術的課題を達成するため請求項１は，
「外壁用パネル間における目地の内部に押し込み挿入される目地材を前記目地内に抜け不能に保持する弾性金属板製の保持具であって，前記保持具は，前記目地材における後側面に係着される装着体を備えており，更に，前記保持具は，前記装着体から前方に向かって斜め外向きに突出して前記目地の後側角部に係合する左右一対の係止体と，前記装着体から前方に向かって斜め外向きに突出して前記目地の両内側面に弾性的に押圧接当する左右一対の弾性体とを一体に備えている。」
ことを特徴としている。
【００１７】
請求項２は，
「前記請求項１の記載において，前記保持具における装着体は，前記目地材の長手方向に沿って延びる断面溝型の形状であり，前記係止体は，前記装着体のうち前記目地材の長手方向に沿った一端に設けられ，前記弾性体は，前記装着体のうち前記目地材の長手方向に沿った他端に設けられている。」
ことを特徴としている。
【００１８】
請求項３は，
「前記請求項１の記載において，前記保持具における装着体は，前記目地材の長手方向に沿って延びる断面溝型の形状で前記目地材の長手方向に沿って並べた二つの構成であり，前記係止体は，前記両装着体の間に一体に設けられ，前記弾性体は，前記両装着体における外端の各々に一体に設けられている。」
ことを特徴としている。
【００１９】
請求項４は，
「外壁用パネル間における目地の内部に押し込み挿入される目地材と，この目地材を前記目地内に抜け不能に保持する弾性金属板製の保持具とを備え，前記目地材は，その断面が前記外壁用パネルに向かって凸型に膨らんだ形状になっていて前記目地内に圧入される構成であり，前記保持具は，前記目地材における後側面に係着される装着体を備えており，更に，前記保持具は，前記装着体から前方に向かって斜め外向きに突出して前記目地の後側角部に係合する左右一対の係止体と，前記装着体から前方に向かって斜め外向きに突出して前記目地の両内側面に弾性的に押圧接当する左右一対の弾性体とを一体に備えている。」
ことを特徴としている。
【００２０】
請求項５は，
「前記請求項４の記載において，前記保持具における装着体は，前記目地材の長手方向に沿って延びる断面溝型の形状であり，前記係止体は，前記装着体のうち前記目地材の長手方向に沿った一端に設けられ，前記弾性体は，前記装着体のうち前記目地材の長手方向に沿った他端に設けられている。」
ことを特徴としている。
【００２１】
請求項６は，
「前記請求項４の記載において，前記保持具における装着体は，前記目地材の長手方向に沿って延びる断面溝型の形状で前記目地材の長手方向に沿って並べた二つの構成であり，前記係止体は，前記両装着体の間に一体に設けられ，前記弾性体は，前記両装着体における外端の各々に一体に設けられている。」
ことを特徴としている。
【００２２】
請求項７は，
「前記請求項４〜６のいずれかの記載において，前記目地材は，その左右の両外側面に前記目地における左右の両内側面に対して接当するひれ片を一体に備えている一方，前記保持具における弾性体は，その先端が前記目地の両内側面のうち前記目地材におけるひれ片が接当しない部分に押圧接当する構成である。」
ことを特徴としている。
【発明の効果】
【００２３】
請求項１において，目地材における後側面に保持具を，当該保持具における装着体にて装着し，この状態で，前記目地材及び保持具を，各外壁用パネル間の目地内に押し込み挿入する。
【００２４】
この押し込み挿入により前記目地を目地材にて塞ぐことができる一方，前記保持具における左右の係止体が，前記目地の後側角部に係合すると同時に，前記保持具における左右の弾性体が，前記目地の両内側面に弾性的に押圧接当するから，前記目地材は，前記保持具によって前記目地内に抜け不能に保持される。
【００２５】
前記保持具による前記目地材における抜け不能の保持は，前記左右の係止体における目地の後側角部への係合と，前記左右の弾性体における目地の内側面への弾性的な押圧接当との両方で行なわれることにより，前記係止体にて負担すべき保持力を，前記弾性体による保持力の分だけ低減できるから，前記係止体における外向きへの開き角度を，前記図９に示す保持具Ｆ２の場合と同様に大きくすることができる。
【００２６】
これにより，前記保持具における後側角部からの突出高さ寸法を低くすることができるから，材料費を節減できて，製造コストの低減を達成できるとともに，前記目地に，前記目地材と保持具とを，目地材に保持具を装着した状態で態で押し込み挿入する場合に，前記保持具が外壁用パネルの取付け金具に干渉することはなくなり，目地処理の作業性を向上できる。
【００２７】
請求項２，５によると，前記保持具における係止体と弾性体とは，目地材への装着体を挟んでその両端に一体に設けられていることにより，前記係止体における目地の後側角部への係合と，前記弾性体における目地の両内側面に弾性的に押圧接当との間に，前記装着体における目地材への装着が存在し，その間に距離が存在し，換言すと，目地に対する抜け不能の保持を，前記装着部の分だけ離れた二箇所の部位において行なうから，前記目地材における抜け不能の保持力を，係止体と弾性体との両方を前記装着体の一端部にのみ互いに相隣接して設けた場合よりも向上できるし，前記目地材が捩じれることを確実に低減できる。
【００２８】
請求項３，６によると，前記目地材における抜け不能の保持力及び目地材の捩じれ防止を，二つの装着体の間に位置する一つの係止体と，二つの装着体の外端に位置する二つの弾性体とによって，更に向上できる。
【００２９】
請求項４によると，前記目地材のそれ自身における目地の両内側面に対する密着性を高めることができる。
【００３０】
更に，請求項７によると，前記目地材が前記目地の内側面に接当するひれ片を備えている場合に，前記保持具における左右の弾性片は，前記目地材における目地の内側面への接当を妨げないから，前記目地材におけるひれ片による水の浸入阻止の作用を確保できるのであり，しかも，前記弾性体における目地の内側面への押圧接当が前記ひれ片にて弱められることはないから，前記弾性体による抜け不能の保持力を向上できる。
【図面の簡単な説明】
【００３１】
【図１】本発明の実施の形態における目地材及び保持具を示す正面図である。
【図２】図１のII−II視視断面図である。
【図３】図１のIII −III 視側面図である。
【図４】図１のIV−IV線切断端面図である。
【図５】図１のＶ−Ｖ線切断端面図である。
【図６】図１のVI−VI線切断端面図である。
【図７】本発明の実施の形態において目地材と目地への押し込み挿入とを示す断面図である。
【図８】従来例において目地材と目地への押し込み挿入とを示す断面図である。
【図９】別の従来例において目地材と目地への押し込み挿入とを示す断面図である。
【発明を実施するための形態】
【００３２】
以下，本発明の実施の形態を，図１〜図７の図面について説明する。
【００３３】
これらの図において，符号Ａは，外壁用パネルを示し，この外壁用パネルＡの複数枚は，建物における支柱部材Ｂに，この支柱部材Ｂの長手方向に適宜間隔で配設した取付け金具Ｃにより，前記各外壁用パネルＢの相互間に目地（隙間）Ｄを形成するようにして取付けられている。
【００３４】
符号Ｅは，前記目地Ｄの内部に押し込み挿入される目地材を示し，この目地材Ｅは，ゴム等の軟質弾性体にて細長い紐状体に構成され，且つ，その断面が前記外壁用パネルＢに向かって凸型に膨らんだ形状になっており，その左右両側面の各々には，その長手方向に延びる複数条のひれ片Ｅ１，Ｅ２，Ｅ３が一体に設けられ，これら各ひれ片Ｅ１，Ｅ２，Ｅ３は，前記目地材Ｅを，前記目地Ｄ内に押し込み挿入したときに，前記目地Ｄにおける左右両内側面Ｄ１に弾性的に接当することにより，前記目地Ｄを水の浸入を阻止した状態にして塞ぐという構成になっており，前記目地材Ｅにおける後側面には，長手方向に延びる突起体Ｅ４が一体に設けられている。
【００３５】
符号１０は，前記目地材Ｅを前記目地Ｄ内に抜け不能に保持するための保持具を示す。      
【００３６】
この保持具１０は，板ばね等のような薄い弾性金属板製であり，断面溝型にした二つの装着体１１，１２が，前記目地材Ｅの長手方向に適宜間隔に並べて設けられ，この二つの装着体１１，１２内に，前記目地材Ｅの後側面における突起体Ｅ４を嵌まり係合することにより，前記保持具１０を，目地材Ｅの長手方向の適宜箇所に対して着脱可能に装着するように構成されている。
【００３７】
更に，前記保持具１０には，前記両装着体１１，１２における左右両側から前方に向かって斜め外向きに突出する左右一対の係止体１３を一体に備えており，この係止体１３は，前記二つの装着体１１，１２の間に，これら両装着体１１，１２の相互間を一体に連結するように設けられ，その先端には，前記目地Ｄにおける左右両内側面Ｄ１の後側角部Ｄ１′に係合する係合部１３ａが設けられている。
【００３８】
これに加えて，前記保持具１０には，前記両装着体１１のうち一方の装着体１１の他端に当該装着体１１における左右両側から前方に向かって斜め外向きに突出する左右一対の弾性体１４を一体に備えていることに加えて，前記両装着体１１のうち他方の装着体１２の他端に当該装着体１２における左右両側から前方に向かって斜め外向きに突出する左右一対の弾性体１５を一体に備えており，これら両弾性体１４，１５における先端は，前記目地Ｄにおける左右両内側面Ｄ１のうち前記目地材Ｅにおける各ひれ片Ｅ１，Ｅ２，Ｅ３が接当する部分よりも後側の部分に対して，弾性的に押圧接当するように構成されている。
【００３９】
この構成において，図７に示すように，目地材Ｅにおける後側面に保持具１０を，当該保持具１０における両装着体１１，１２にて装着し，この状態で，前記目地材Ｅを，各外壁用パネルＡ間の目地Ｄの内部に押し込み挿入する。
【００４０】
この押し込み挿入により，前記目地材Ｅの両外側面における各ひれ片Ｅ１，Ｅ２，Ｅ３が前記目地Ｄの両内側面Ｄ１に弾性的に接当するから，前記目地Ｄを塞ぐことができる一方，前記保持具１０における左右の係止体１３は，前記目地Ｄを通過するときに一旦弾性に抗して内向きに窄んだのち外向きに開くことにより，前記目地Ｄの後側角部Ｄ１′に係合する。
【００４１】
これと同時に，前記保持具１０における両弾性体１４，１５が，前記目地Ｄの内部にその弾性に抗して内向きに窄み変形しながら挿入され，その先端が，前記目地Ｄの両内側面Ｄ１に対して弾性的に押圧接当する。
【００４２】
これにより，前記目地材Ｅは，前記係止体１３と，弾性体１４，１５との両方によって前記目地Ｄ内に抜け不能に保持される一方，前記目地材Ｅにおける各ひれ片Ｅ１，Ｅ２，Ｅ３によって水の浸入が阻止される。
【００４３】
つまり，前記目地材Ｅにおける抜け不能の保持は，前記係止体１３における目地Ｄの後側角部Ｄ１′への係合と，前記弾性体１４，１５における目地Ｄの内側面Ｄ１への弾性的な押圧接当との両方で行なわれることにより，前記係止体１３にて負担すべき保持力を，前記両弾性体１４，１５による保持力の分だけ低減できることができ，ひいては，前記係止体１３における外向きへの開き角度θを，前記図９に示す従来の保持具Ｆ２の場合と同様に大きくすることができるから，前記保持具１０における後側角部Ｄ１′からの突出高さ寸法Ｈを低くすることができる。
【００４４】
そして，前記弾性体１４，１５は，前記目地Ｄの内側面Ｄ１のうち前記目地材Ｅにおける各ひれ片Ｅ１，Ｅ２，Ｅ３が接当しない部分への弾性的な押圧接当するという構成であることにより，前記目地材Ｅの各ひれ片Ｅ１，Ｅ２，Ｅ３における目地Ｄの内側面Ｄ１への接当を妨げるものではないから，前記目地材Ｅにおける各ひれ片Ｅ１，Ｅ２，Ｅ３による水の浸入阻止の作用を確保できる。
【００４５】
また，前記実施の形態においては，目地材Ｅへの両装着体１１，１２の各々は，係止体１３と弾性体１４，１５との間に位置していることにより，前記目地材Ｅにおける抜け不能の保持力を，前記係止体１３と弾性体１４，１５とを前記装着体１１，１２の一端に互いに相隣接して設けた場合よりも向上できる。
【００４６】
更にまた，前記実施の形態において，前記保持具１０は，二つの装着体１１，１２と，一つの係止体１３と，二つの弾性体１４，１５とを備えた構成であり，前記一つの係止体１３は，前記二つの両装着体１１，１２の間に一体に設けられ，前記二つの弾性体１４，１５は，前記二つの装着体１１，１２における外端の各々に一体に設けられている。これにより，前記目地材Ｅにおける抜け不能の保持力を，二つの装着体１１，１２の間に位置する一つの係止体１３と，二つの装着体１１，１２の外端に位置する二つの弾性体１４，１５とによって，更に向上できる。
【００４７】
特に，前記実施の形態の場合，前記二つの弾性体１４，１５が，目地Ｄに対して押し込み挿入したとき，図７に示すように，その内面に目地材Ｅにおける一つのひれ片Ｅ３の付け根の部分が接当することによって支持された状態になるように構成しているので，保持具１０の全体が目地Ｄに対して目地材Ｅを捩じるように傾くことを確実に防止できる利点がある。
【符号の説明】
【００４８】
Ａ                  外壁用パネル
Ｂ                  支柱部材
Ｃ                  取付け金具
Ｄ                  目地
Ｄ１                目地の内側面
Ｄ１′              目地の後側角部
Ｅ                  目地材
Ｅ１，Ｅ２，Ｅ３    目地材のひれ片
Ｅ４                突起体
１０                保持具
１１，１２          装着体
１３                係止体
１４，１５          弾性体
【図１】
2012007404.tif 000003
【図２】
2012007404.tif 000004
【図３】
2012007404.tif 000005
【図４】
2012007404.tif 000006
【図５】
2012007404.tif 000007
【図６】
2012007404.tif 000008
【図７】
2012007404.tif 000009
【図８】
2012007404.tif 000010
【図９】
2012007404.tif 000011